(57)【要約】【課題】  コントラストＡＦとＴＴＬ位相差ＡＦの２つのＡＦ方式を持つカメラにおいて位相差ＡＦ時の精度を落とすことなく測距を可能とすること。【解決手段】  撮影光学系を介した被写体光束を第1の光束と第２の光束に分割する光分割手段と、前記第1の光束を受ける第１の光電変換手段と、前記第２の光束を受ける第２の光電変換手段と、前記第１の光電変換手段からの出力で測距を行う第１の測距手段と、前記第２の光電変換手段からの出力で測距を行う第２の測距手段と、前記撮影光学系の透過光量を調節する光学素子とを有するカメラにおいて、前記第１の測距手段で測距する場合は、前記光学素子を光路上から退避させる。【選択図】  図３
2006171148.tif 000002
【特許請求の範囲】
【請求項１】
撮影光学系を介した被写体光束を第１の光束と第２の光束に分割する光分割手段と、前記第１の光束を受ける第１の光電変換手段と、前記第２の光束を受ける第２の光電変換手段と、前記第１の光電変換手段からの出力で測距を行う第１の測距手段と、前記第２の光電変換手段からの出力で測距を行う第２の測距手段と、撮影光学系の透過光量を調節する光学素子とを有するカメラにおいて、
前記第１の測距手段で測距する場合は、前記光学素子を撮影光路上から退避させることを特徴とするカメラ。
【請求項２】
撮影光学系を介した被写体光束を第１の光束と第２の光束に分割する光分割手段と、前記第１の光束を受ける第１の光電変換手段と、前記第２の光束を受ける第2の光電変換手段と、前記第１の光電変換手段からの出力で測距を行う第１の測距手段と、前記第２の光電変換手段からの出力で測距を行う第２の測距手段と、撮影光学系の透過光量を調節する光学素子とを有するカメラにおいて、
前記第１の測距手段で測距する場合は、前記光学素子の透過光量が最大になるように制御することを特徴とするカメラ。
【請求項３】
請求項１のカメラにおいて、前記第１の測距手段のみの測距情報で、前記撮影光学系の透過光量を調節する光学素子を挿入して撮影する場合、前記光学素子挿入による焦点移動分を補正するための補正手段を有し、該補正手段により前記撮影光学系の焦点位置を補正することを特徴とするカメラ。
【請求項４】
前記第１の測距手段は１対の被写体像の位相差からデフォーカス量を算出する位相差ＡＦ、前記第２の測距手段は輝度信号の変化からコントラストのピークを検出するコントラストＡＦであることを特徴とする請求項１、２、３のカメラ。
【発明の詳細な説明】
【技術分野】
【０００１】
本発明は、複数の測距手段を持つデジタルカメラにおける光量制御に関するものである。
【背景技術】
【０００２】
近年、デジタルカメラに用いられている撮像素子（ＣＣＤやＣＭＯＳ）は急速に小型化及び高画素化が進んでいる。現在、一般的に販売されているデジタルカメラのＣＣＤの画面サイズは、銀塩フィルムと同じ横３６ｍｍ縦２４ｍｍの所謂フルサイズのものから、１/４インチサイズのものまで、また画素数も１千万画素以上から数十万画素のものまで多種多様に出回っている。
【０００３】
特に近年のビデオカメラやデジタルカメラにおいては、カメラの小型化及び高画質化を実現させるために、画面サイズは小さく、画素数は多い撮像素子が求められている。このような画面サイズの小さな撮像素子を搭載すると、撮影レンズの光量を制御する絞りの絞り径も必然的に小さくする必要が有る。しかしながら絞り径を小さくすると、機械的に絞り径を正確にコントロールすることが困難になるだけでなく、回折現象による画質の劣化が問題となってくる。
【０００４】
そこで近年のビデオカメラやデジタルカメラでは、撮影光路上にＮＤフィルタなどの減光光学素子を挿入して、高輝度時の小絞りによる回折を防止しているものがある。また、特開２００２−３０５６８６号公報では、透過率の異なる複数のＮＤフィルタを有し、測光値に基づいてＮＤフィルタを選択することが提案されている。
【０００５】
また、ビデオカメラやデジタルカメラでは撮像素子によるオートフォーカス（以下ＡＦと略す）、所謂コントラスト（山登り）ＡＦが主流となっている。しかし、コントラストＡＦは銀塩カメラで使われているパッシブＡＦやアクティブＡＦに比べて、測距に時間が掛かるため、コントラストＡＦに加え、ＴＴＬ（スルー・ザ・レンズ）の位相差ＡＦや外測のＡＦ方式をなど複数の測距方式を併用するカメラも提案されている。
【特許文献１】特開２００２−３０５６８６号公報
【発明の開示】
【発明が解決しようとする課題】
【０００６】
通常ＮＤフィルタを有しているビデオカメラやデジタルカメラでは、測光値により所定値以上の高輝度だと判断すると、絞りを回折現象が起きない径にするためにＮＤフィルタを挿入して減光してコントラストＡＦを行う。しかしながら、前述のようにコントラストＡＦとパッシブＡＦの一種であるＴＴＬの位相差ＡＦの２つのＡＦ方式を持つカメラにおいては、位相差ＡＦ時に減光してしまうとセンサーに到達する光量が弱くなってしまい測距精度が低下するという問題が発生してしまう。
【０００７】
本発明の目的は、コントラストＡＦとＴＴＬ位相差ＡＦの２つのＡＦ方式を持つカメラにおいて位相差ＡＦ時の精度を落とすことなく測距を可能とすることである。
【課題を解決するための手段】
【０００８】
以上のような目的を達成するために請求項１の発明は、撮影光学系を介した被写体光束を第１の光束と第２の光束に分割する光分割手段と、前記第１の光束を受ける第１の光電変換手段と、前記第２の光束を受ける第２の光電変換手段と、前記第１の光電変換手段からの出力で測距を行う第１の測距手段と、前記第２の光電変換手段からの出力で測距を行う第２の測距手段と、前記撮影光学系の透過光量を調節する光学素子とを有するカメラにおいて、前記第１の測距手段で測距する場合は、前記光学素子を光路上から退避させることを特徴としている。
【０００９】
請求項２の発明は、撮影光学系を介した被写体光束を第１の光束と第２の光束に分割する光分割手段と、前記第１の光束を受ける第１の光電変換手段と、前記第２の光束を受ける第２の光電変換手段と、前記第１の光電変換手段からの出力で測距を行う第１の測距手段と、前記第２の光電変換手段からの出力で測距を行う第２の測距手段と、前記撮影光学系の透過光量を調節する光学素子とを有するカメラにおいて、前記第１の測距手段で測距する場合は、前記光学素子の透過光量が最大になるように制御することを特徴としている。
【００１０】
請求項３の発明は、請求項１のカメラにおいて、第１の測距手段のみの測距情報で、前記撮影光学系の透過光量を調節する光学素子を挿入して撮影する場合、前記光学素子挿入による焦点移動分を補正するための補正手段を有し、該補正手段により前記撮影光学系の焦点位置を補正することを特徴としている。
【００１１】
請求項４の発明は、第１の測距手段は１対の被写体像の位相差からデフォーカス量を算出する位相差ＡＦ、前記第２の測距手段は輝度信号の変化からコントラストのピークを検出するコントラストＡＦであることを特徴としている。
【発明の効果】
【００１２】
以上説明したように請求項１の発明によれば、ＴＴＬにてコントラストＡＦと位相差ＡＦが可能な構成のカメラにおいて、位相差ＡＦ時にＮＤフィルタを撮影光路上から退避させることにより、小絞りによる回折現象を防止するための光学素子（ＮＤフィルタ）の影響を、位相差ＡＦ時に排除することにより位相差ＡＦの精度の低下を防止することが可能となる。
【００１３】
請求項２の発明によれば、位相差ＡＦ時に撮影光学系の透過光量を調節する光学素子の透過率を最大にすることで、測距センサへの到達光量を減らすことなく位相差ＡＦの精度の低下を防止することが可能となる。
【００１４】
また、請求項３の発明によれば、位相差ＡＦのみの測距情報で撮影する場合でも、フィルタ挿入による焦点位置ずれを補正するために、ピントずれの少ない画像を素早く撮影することが可能である。
【００１５】
請求項４の発明によれば、上記の構成をとることにより、コントラストＡＦと位相差ＡＦを測距精度を犠牲にすることなく両立させることが可能となる。
【発明を実施するための最良の形態】
【００１６】
図１は、本実施の形態のカメラの構成を示すブロック図である。図２は本実施の形態のカメラの概略の光学配置図である。図１、図２において、１は撮影レンズユニットである。２，３，６，７は撮影レンズであり、３は撮影光軸Ｌ１上を移動して撮影倍率を変更するバリエータレンズ、７は撮影光軸Ｌ１上を移動して焦点を調節するフォーカシングレンズである。４は複数の羽根の移動による重なり量の変化により複数の絞り径を形成して撮影光量を調節する絞りであり、本実施例では絞り形状が略円形状になるアイリス絞りである。５は撮影光学系の透過光量を調節する光学素子（以下減光光学素子という）であり、ＮＤフィルタや駆動電圧の変化により光の透過率を制御する透過型の液晶などを用いる。この透過光量を調節する光学素子５は、絞り４の絞り径を小さくしていくと回折現象によって、画像の劣化を招くので所定値以下の絞り径にならないようにするためのものである。
【００１７】
８は第１の光電変換手段と第２の光電変換手段とに光束を分割するビームスプリッタであり、本実施例ではハーフミラーを用いている。９は露光制御を行うシャッタであり、１０はモアレを防止する光学ローパスフィルタ（ＬＰＦ）であり、赤外カットフィルタや色補正フィルタなどと張り合わせて用いられることが多い。１１は第２の光電変換手段であり光学像を電気信号に変換するＣＣＤなどの撮像素子である。この撮像素子１１の輝度信号の変化（コントラスト）を検知して、コントラストのピークを検出する公知のコントラスト（山登り）ＡＦを行う（第２の測距手段）。図２から明らかなように本実施のカメラは、ＴＴＬにてコントラストＡＦと位相差ＡＦが可能な構成をとっている。
【００１８】
１２は１次結像面に形成される像を第１の測距手段に導く分割フィールドレンズである。１４は測距に有害な赤外光を取り除くための赤外カットフィルタである。１５は第１の光電変換手段である測距センサ１６上に複数の被写体光束を再結像させるための二次結像レンズである。１６はＣＣＤや１対のラインセンサを複数持つ測距センサである。この測距センサ１６で異なる瞳を通過した被写体光の２つの像のずれ量を検出する公知の位相差ＡＦを行う（第１の測距手段）。
【００１９】
１７はＡ／Ｄ変換器であり、撮像素子１１のアナログ信号出力をディジタル信号に変換する。１８はタイミング発生回路であり、撮像素子１１、Ａ／Ｄ変換器１６、Ｄ／Ａ変換器２６にクロック信号や制御信号を供給するもので、メモリ制御回路２２及びシステム制御回路５０により制御される。
【００２０】
２０は画像処理回路であり、Ａ／Ｄ変換器１６からのデータ或いはメモリ制御回路２２からのデータに対して所定の画素補間処理や色変換処理を行う。画像処理回路２０においては、撮像した画像データを用いて所定の演算処理を行い、得られた演算結果に基づいてシステム制御回路５０が露光制御手段４０、測距制御手段４２に対して制御を行うＴＴＬ方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータは画像処理回路２０、メモリ制御回路２２を介して、或いは直接メモリ制御回路２２を介して、画像表示メモリ２４或いは画像記録メモリ３０に書き込まれる。２３はコントラスト演算部であり、通常画像処理回路２０に含まれるが、説明の便宜上分けて説明する。コントラスト演算部２３は撮像素子１１の輝度信号の変化（所謂コントラスト）を検出し、コントラストが最大になるように即ちピントが合っている位置にフォーカシングレンズ７を駆動するようにシステム制御回路５０を介して、測距制御手段４２に駆動信号を送る。
【００２２】
２４は画像表示メモリである。２６はＤ／Ａ変換器である。２８はＴＦＴ ＬＣＤ等からなる画像表示部であり、画像表示メモリ２４に書き込まれた表示用の画像データはＤ／Ａ変換器２６を介して画像表示部２８により表示される。画像表示部２８を用いて撮像した画像データを逐次表示すれば、動画表示を実現することが可能である。また画像表示部２８は、電池残量表示、ストロボ充電完了表示、装置のモード設定時の選択画面表示、時刻・日付表示などにも用いられる。画像表示部２８に用いられている表示素子はＴＦＴ方式などの液晶表示板である。
【００２３】
３０は画像記録メモリであり、撮影した静止画像や動画像を格納する。画像記録メモリ３０は、所定枚数の静止画像や所定時間の動画像を格納するのに十分な記憶量を備えている。これにより、複数枚の静止画像を連続して撮影する連射撮影や動画撮影など、高速かつ大量の画像書き込みを画像記録メモリ３０に対して行うことが可能となる。また、画像記録メモリ３０はシステム制御回路５０の作業領域としても使用することが可能である。
【００２４】
３２は圧縮・伸長回路であり、適応離散コサイン変換（ＡＤＣＴ）等により画像データを圧縮伸長する。圧縮・伸長回路３２では、画像記録メモリ３０に格納された画像を読み込んで圧縮処理或いは伸長処理を行い、処理を終えたデータを画像記録メモリ３０に書き込む。
【００２５】
４０はシャッタ９の駆動を制御する露光制御手段であり、４２は撮影レンズユニット１のフォーカスを行うためにフォーカシングレンズ７の駆動制御する測距制御手段である。４６は撮影レンズユニット１のズーミングを行うためにバリエータレンズ３の駆動制御するズーム制御手段である。４３はフィルタ制御手段、４５は絞り制御手段である。画像処理回路２０により撮像された被写体の明るさを測定し（測光）その結果から絞り制御手段４５に信号が送られ、絞り４を駆動する。この時、小絞りによる回折を防止するために、明るい被写体に対しても所定の絞り径よりも小さく絞らないように制御している。４０，４２，４５，４６の各制御手段はステッピングモータやプランジャなどのアクチュエータを用いている。またフィルタ制御手段４３は、減光光学素子５がＮＤフィルタの場合にはＮＤフィルタを撮影光路上に挿脱させるためのアクチュエータとして、ステッピングモータやプランジャを用いる。また、減光光学素子５が透過型の液晶表示板などの素子自体の濃度を変えて光量調節を行う場合は、フィルタ制御手段４３は減光光学素子５に印加する電圧や電流を制御する。
【００２６】
４８はストロボであり、被写体に向けて閃光発光を行い被写体を照明する。
【００２７】
５０はシステム制御回路であり、本発明のカメラ全体の動作を制御する中央演算ユニット（ＣＰＵ）である。５２はメモリであり、システム制御回路５０の動作用の定数、変数、プログラム等を記憶する。５６は電気的に消去・記録可能な不揮発性メモリであり、例えばＥＥＰＲＯＭ等が用いられ、撮影者が設定するカスタムファンクションの設定やメッセージ等を記憶する。
【００２８】
６０，６２，６４，６６は、システム制御回路５０の各種の動作指示を入力するための操作手段であり、スイッチやダイアル、タッチパネル等の単数或いは複数の組み合わせで構成される。具体的には６０は電源スイッチであり、カメラの電源のＯＮ・ＯＦＦを行う。６２はズームスイッチであり撮影レンズの焦点距離の変更を指示する。６４はレリーズスイッチであり、第一ストロークのスイッチONでＡＦ（オートフォーカス）処理、ＡＥ（自動露出）処理、ＡＷＢ（オートホワイトバランス）処理等の動作開始を指示し、第二ストロークのスイッチONで引き続きシャッタ９の開閉、撮像素子１１から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体１００に画像データを書き込む記録処理という一連のレリーズ処理の動作開始を指示する。
【００２９】
７０は電源制御回路であり、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。７２，７４はコネクタである。７６は電源であり、アルカリ電池やリチウム電池等の一次電池やNiCd電池やNiMH電池、リチウムイオン電池等の二次電池、ＡＣアダプター等からなる。
【００３０】
８０はメモリカードやハードディスク等の記録媒体とのインタフェースである。８２はメモリカードやハードディスク等の記録媒体と接続を行うコネクタである。さらに、インタフェース９０、そしてコネクタ９２を規格に準拠したメモリカードを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３１】
１００はメモリカードやハードディスク等の記録媒体であり、半導体メモリや磁気ディスク等から構成される記録部１０２、装置本体側とのインタフェース１０４、装置本体側コネクタ８０と接続を行うコネクタ１０６とを備えており、装置本体に着脱可能に設けられている。この記録媒体１００と画像記録メモリ３０は、互いに記録されている画像ファイルの移動やコピーが可能である。
【００３２】
図３は本実施の形態のカメラの撮影時の概略の動作を示したフローチャートである。以下図３を元に動作の説明を行う。
【００３３】
ステップＳ１０１にて、電源スイッチ６０がＯＮされレリーズＳＷ６４の第一ストロークがＯＮされると、カメラは測光を開始し測定された測光値からＮＤフィルタ５を挿入するかどうかを判断する。ステップＳ１０２では位相差ＡＦを使用するモードかどうかを判断する。本発明のカメラでは、通常は測距スピードの速い位相差ＡＦで測距を行いフォーカシングレンズを焦点近傍まで持っていき、次に測距精度がより高いコントラストＡＦで微調するようにしている。しかし、例えば撮影のスピードよりもピントを優先させたいときには、位相差ＡＦは用いずにコントラストＡＦのみで測距を行うようにしたり、また逆に、撮影のスピードが求められる場合には位相差ＡＦのみの測距情報で撮影を行うことも可能である。
【００３４】
ステップＳ１０２にて位相差ＡＦを使うモードだと判断すると、ステップＳ１０３にて位相差ＡＦを行い、位相差演算部５５でデフォーカス量を演算しシステム制御回路５０から測距制御手段４２に駆動信号を出し、測距制御手段４２がフォーカシングレンズ７を駆動して合焦動作を行う。位相差ＡＦ終了後、コントラストＡＦを行うかどうかをステップＳ１０４にて判断し、コントラストＡＦを行う場合は、ステップＳ１０１にてＮＤフィルタを挿入すると判断しているので、ステップＳ１０５にてＮＤフィルタ５を挿入する。この時システム制御回路５０からフィルタ制御手段４３へ駆動信号が送られて、フィルタ制御手段４３がＮＤフィルタ７を駆動して撮影レンズ光路内に挿入する。ＮＤフィルタ５を挿入後ステップＳ１０６にてコントラストＡＦを行う。すでにステップＳ１０３にて位相差ＡＦでフォーカシングレンズ７を合焦点近傍まで移動させているので、ステップＳ１０６のコントラストＡＦでのフォーカシングレンズ７の駆動量は微調程度の僅かな量である。
【００３５】
ステップＳ１０６にて合焦動作が終了して、レリーズスイッチ６４の第二ストロークがＯＮせれたら、シャッタ９の開閉、撮像素子１１から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体１００に画像データを書き込む記録処理という一連の撮影動作を行う。撮影動作中若しくは撮影動作終了後にＮＤフィルタ５は撮影光路から退避させる。
【００３６】
ステップＳ１０２にて、位相差ＡＦを行わない場合はステップＳ１０５へ飛んでＮＤフィルタ５を挿入して、コントラストＡＦを行う。
【００３７】
一方、ステップＳ１０４でコントラストＡＦを使用しないと判断したなら、ステップＳ１０８にてＮＤフィルタ５を挿入する。この時、位相差ＡＦのみの測距情報で撮像処理を行うと、ＮＤフィルタ５を挿入する前に位相差ＡＦを行っているために、ＮＤフィルタ５の挿入分光路長が伸びてしまっているため、僅かにピントずれを起こしてしまう。そのために、ステップＳ１０９にて、ＮＤフィルタ７挿入分のピントのずれ量をフォーカシングレンズ７を移動させて補正を行う。具体的には、レンズの焦点距離や絞り値などによってフィルタ挿入によるピントのずれ量は異なるので、複数の補正値を不揮発性メモリ５６に記憶しておき、撮影条件にあった補正値を選択する。また、撮影時などに位相差ＡＦとＮＤフィルタを挿入したときのコントラストＡＦでのピント位置のずれ量を検出して、その値を適宜更新して補正値として用いても良い。ステップＳ１０９で焦点位置の補正を行った後にステップＳ１０７にて、一連の撮影動作を行う。
【００３８】
また、ステップＳ１０１にて被写体輝度がＮＤフィルタを挿入するほどの高輝度では無いと判断した場合は、ステップＳ１１０にて通常のＡＦ動作即ち、位相差ＡＦ実行後にコントラストＡＦを実行する。または、撮影モードによっては位相差ＡＦのみや、コントラストＡＦのみ実行して、ステップＳ１０７にて、一連の撮影動作を行う。
【００３９】
（第２の実施例）
図４は図３のフローチャートとは別の動作を行うカメラの撮影時の概略の動作を示したフローチャートである。具体的には図３のフローチャートではＮＤフィルタを撮影光路上に挿脱していたが、図４のフローチャートではＮＤフィルタの変わりに透過型の液晶表示板を撮影光路上に固定して、液晶表示板の濃度を変更することにより光量の調節を行うようにしている。以下図４のフローチャートに基づいて説明する。
【００４０】
ステップＳ２０１にて、電源スイッチ６０がＯＮされレリーズＳＷ６４の第一ストロークがＯＮされると、カメラは測光を開始し測定された測光値から減光光学素子５の濃度を変更するかどうかを判断する。本実施例の透過型液晶表示板は、電圧を付加しない状態が透過率が最大になるタイプのものである。ステップＳ２０２では位相差ＡＦを使用するモードかどうかを判断する。
【００４１】
ステップＳ２０２にて位相差ＡＦを使うモードだと判断すると、ステップＳ２０３にて減光光学素子５の透過率を最大にする。即ち本実施例では減光光学素子５に電圧を印加しない。しかし使用する減光光学素子が電圧を印加するほど透過率が上がるものを使用している場合は、透過率が最大になるように電圧を印加する必要がある。減光光学素子５の透過率を最大にした後、ステップＳ２０４にて位相差ＡＦを行い、位相差演算部５５でデフォーカス量を演算しシステム制御回路５０から測距制御手段４２に駆動信号を出し、測距制御手段４２がフォーカシングレンズ７を駆動して合焦動作を行う。位相差ＡＦ終了後、コントラストＡＦを行うかどうかをステップＳ２０５にて判断し、コントラストＡＦを行う場合は、ステップＳ２０６にて先に測光したデータより、減光光学素子５の透過率を所定の値になるようにフィルタ制御手段４３から減光光学素子５に電圧を印加する。ステップＳ２０６で減光光学素子５の透過率を調整した後、ステップＳ２０７にてコントラストＡＦを行う。ステップＳ２０８では合焦動作が終了して、レリーズスイッチ６４の第二ストロークがＯＮせれたら、シャッタ９の開閉、撮像素子１１から読み出した信号をＡ／Ｄ変換器１６、メモリ制御回路２２を介してメモリ３０に画像データを書き込む露光処理、画像処理回路２０やメモリ制御回路２２での演算を用いた現像処理、画像記録メモリ３０から画像データを読み出し、圧縮・伸長回路３２で圧縮を行い、記録媒体１００に画像データを書き込む記録処理という一連の撮影動作を行う。撮影動作中若しくは撮影動作終了後に減光光学素子５への通電を停止する。
【００４２】
ステップＳ２０２にて、位相差ＡＦを行わない場合はステップＳ２０６へ飛んで減光光学素子５の透過率を調整した後、ステップＳ２０７にてコントラストＡＦを行う。
【００４３】
またステップＳ２０５にてコントラストＡＦを使用しないと判断したなら、ステップＳ２１０にてステップＳ２０６と同様に、先に測光したデータより、減光光学素子５の透過率を所定の値になるようにフィルタ制御手段４３から減光光学素子５に電圧を印加して、透過率を調整して、ステップＳ２０８にて撮影動作に移る。
【００４４】
また、ステップＳ２０１にて被写体輝度が減光光学素子の透過率を下げるほどの高輝度では無いと判断した場合は、ステップＳ２１１にて通常のＡＦ動作即ち、位相差ＡＦ実行後にコントラストＡＦを実行する。または、撮影モードによっては位相差ＡＦのみや、コントラストＡＦのみ実行して、ステップＳ２０８にて、一連の撮影動作を行う。この場合は一連の動作中に減光光学素子５への通電は行われない。
【図面の簡単な説明】
【００４５】
【図１】カメラの構成を示すブロック図
【図２】カメラの概略の光学配置図
【図３】第１の実施例の動作を示すフローチャート
【図４】第２の実施例の動作を示すフローチャート
【符号の説明】
【００４６】
１  撮影レンズ
４      絞り
５      減光光学素子
１１    第２の光電変換素子
１６    第１の光電変換素子
４２    測距制御手段
４３    フィルタ制御手段
４５    絞り制御手段
５０    システム制御回路
【図１】
2006171148.tif 000003
【図２】
2006171148.tif 000004
【図３】
2006171148.tif 000005
【図４】
2006171148.tif 000006